(57)【要約】【課題】記録装置、記録方法、およびプログラムを提供すること。【解決手段】記録装置に、映像データおよび／または音声データを含む入力データの記録開始を指示する指示部と、前記指示部により前記入力データの記録開始を指示されると、前記入力データを、第１の記録モードにおいては以前に記録した入力データと別単位として被記録媒体に記録し、第２の記録モードにおいては以前に記録した入力データと同一単位として前記以前に記録した入力データに続けて前記被記録媒体に記録する記録部と、前記被記録媒体に記録されている入力データの単位数に応じ、前記記録部に、前記第１の記録モードおよび前記第２の記録モードを含む記録モードのいずれで前記入力データの記録を行わせる制御部と、を設ける。【選択図】図５
2009099190.tif 000002
【特許請求の範囲】
【請求項１】
映像データおよび／または音声データを含む入力データの記録開始を指示する指示部と、
前記指示部により前記入力データの記録開始を指示されると、前記入力データを、第１の記録モードにおいては以前に記録した入力データと別単位として被記録媒体に記録し、第２の記録モードにおいては以前に記録した入力データと同一単位として前記以前に記録した入力データに続けて前記被記録媒体に記録する記録部と、
前記被記録媒体に記録されている入力データの単位数に応じ、前記記録部に、前記第１の記録モードおよび前記第２の記録モードを含む記録モードのいずれで前記入力データの記録を行わせる制御部と、
を備えることを特徴とする、記録装置。
【請求項２】
前記制御部は、前記被記録媒体に記録されている入力データの単位数が所定数を上回ると、前記記録部に前記第２の記録モードで前記入力データの記録を行わせることを特徴とする、請求項１に記載の記録装置。
【請求項３】
前記制御部は、前記被記録媒体に記録されている入力データの単位数が増加するにつれ、前記記録部に前記第２の記録モードで記録を行わせる頻度を高めることを特徴とする、請求項１に記載の記録装置。
【請求項４】
前記制御部は、
前記被記録媒体に記録できる入力データの時間残量を、前記被記録媒体に記録されている複数単位の入力データの平均時間で除して予想記録単位数を算出し、
前記被記録媒体に記録できる入力データの残り単位数を前記予想記録単位数が上回る場合、前記記録部に前記第２の記録モードで前記入力データの記録を行わせることを特徴とする、請求項１に記載の記録装置。
【請求項５】
前記第２の記録モードで動作する前記記録部は、前記指示部による記録開始指示に基づいて前記入力データの記録を開始すると、前記以前に記録した入力データとの境界位置を示す境界情報を前記被記録媒体に記録することを特徴とする、請求項１に記載の記録装置。
【請求項６】
前記被記録媒体に記録されている入力データを再生する再生部をさらに備え、
前記再生部は、前記境界情報により示される境界位置の入力データを再生する際、該入力データに含まれる音声データの再生音量を下げることを特徴とする、請求項５に記載の記録装置。
【請求項７】
映像データおよび／または音声データを含む入力データを生成するステップと、
前記入力データの被記録媒体への記録開始を指示するステップと、
前記被記録媒体に記録されている入力データの単位数に応じ、第１の記録モードおよび第２の記録モードを含む記録モードのいずれかに記録モードを設定するステップと、
前記第１の記録モードに設定された場合、前記入力データを以前に記録した入力データと別単位として前記被記録媒体に記録し、
前記第２の記録モードに設定された場合、以前に記録した入力データと同一単位として前記被記録媒体に記録するステップと、
を含むことを特徴とする、記録方法。
【請求項８】
コンピュータを、
映像データおよび／または音声データを含む入力データを生成する入力部と、
前記入力データの記録開始を指示する指示部と、
前記指示部により前記入力データの記録開始が指示されると、前記入力データを、第１の記録モードにおいては以前に記録した入力データと別単位として被記録媒体に記録し、第２の記録モードにおいては以前に記録した入力データと同一単位として前記被記録媒体に記録する記録部と、
前記被記録媒体に記録されている入力データの単位数に応じ、前記記録部に、前記第１の記録モードおよび前記第２の記録モードを含む記録モードのいずれで前記入力データの記録を行わせる制御部と、
を備える記録装置として機能させるための、プログラム。
【発明の詳細な説明】
【技術分野】
【０００１】
本発明は、記録装置、記録方法、およびプログラムに関する。
【背景技術】
【０００２】
近日、周囲の映像や音声などのデータを記録可能な記録装置として携帯型の撮像装置が広く普及している。ユーザは、かかる撮像装置を利用することにより、子供の運動会、子供の入学式、および旅行風景などの各種イベントの様子をデータとして保存することができる。
【０００３】
このような撮像装置は、通常、記録開始ボタンを備え、ユーザにより記録開始ボタンが押圧されるとデータの記録を開始し、記録開始ボタンが再度押圧されるとデータの記録を停止する。また、撮像装置は、記録開始ボタンが押圧されてデータの記録を開始してから、記録開始ボタンが再度押圧されてデータの記録を停止するまでに記録したデータを１クリップとして管理する。すなわち、撮像装置は、データの記録を停止し、その後に新たなデータの記録を開始する場合、停止前に記録したデータと別のクリップとして新たなデータを記録する。
【０００４】
また、例えば特許文献１に記載されているように、撮像装置は各クリップに関する情報としてインデックスファイルや、クリップメタデータなども記録するため、ユーザは、データの再生時に所望のクリップから再生を開始することが可能である。
【０００５】
【特許文献１】特開２００５−４８５０号公報
【発明の開示】
【発明が解決しようとする課題】
【０００６】
ここで、上記のインデックスファイルや、クリップメタデータのデータ容量は、クリップ数の増加に伴い増大する。したがって、従来の撮像装置においては、記録できるクリップ数の上限値が設定されていた。このため、従来の撮像装置では、１クリップ当たりのデータ容量が少なく被記録媒体の容量が余っていても、クリップ数が上限値に達していると、新たにデータを記録することができないという問題があった。
【０００７】
そこで、本発明は、上記問題に鑑みてなされたものであり、本発明の目的とするところは、被記録媒体の記憶容量を有効活用することが可能な、新規かつ改良された記録装置、記録方法、およびプログラムを提供することにある。
【課題を解決するための手段】
【０００８】
上記課題を解決するために、本発明のある観点によれば、映像データおよび／または音声データを含む入力データの記録開始を指示する指示部と、前記指示部により前記入力データの記録開始を指示されると、前記入力データを、第１の記録モードにおいては以前に記録した入力データと別単位として被記録媒体に記録し、第２の記録モードにおいては以前に記録した入力データと同一単位として前記以前に記録した入力データに続けて前記被記録媒体に記録する記録部と、前記被記録媒体に記録されている入力データの単位数に応じ、前記記録部に、前記第１の記録モードおよび前記第２の記録モードを含む記録モードのいずれで前記入力データの記録を行わせる制御部と、を備える記録装置が提供される。
【０００９】
かかる構成においては、記録部が、第１の記録モード、または第２の記録モード、あるいはさらなる記録モードで動作する。第１の記録モードは、以前に記録された入力データと別単位として新たな入力データを被記録媒体に記録する記録モードであり、第２の記録モードは、以前に記録された入力データと同一単位として以前に記録した入力データに続けて新たな入力データを被記録媒体に記録するモードである。制御部は、記録部のかかる記録モードを、被記録媒体に記録されている入力データの単位数に応じて設定する。
【００１０】
例えば、前記制御部は、前記被記録媒体に記録されている入力データの単位数が所定数を上回ると、前記記録部に前記第２の記録モードで前記入力データの記録を行わせてもよい。このように、記録部に第２の記録モードで入力データの記録を行わせると、被記録媒体における入力データの単位数を維持することができる。したがって、被記録媒体の容量に余裕があるにも拘らず入力データの単位数が上限値に達してしまい、新たな入力データが記録できなくなる場合を抑制することができる。すなわち、当該記録装置は、被記録媒体の記憶容量を有効活用することができる。
【００１１】
また、前記制御部は、前記被記録媒体に記録されている入力データの単位数が増加するにつれ、前記記録部に前記第２の記録モードで記録を行わせる頻度を高めてもよい。かかる構成により、被記録媒体における入力データの単位数の増加速度を抑制することができる。
【００１２】
さらに、前記制御部は、前記被記録媒体に記録できる入力データの時間残量を、前記被記録媒体に記録されている複数単位の入力データの平均時間で除して予想記録単位数を算出し、前記被記録媒体に記録できる入力データの残り単位数を前記予想記録単位数が上回る場合、前記記録部に前記第２の記録モードで前記入力データの記録を行わせてもよい。かかる構成においては、制御部は、入力データの単位数が増加しても、入力データの単位数が入力データの記録時間との均衡がとれていれば、記録部に第１の記録モードで入力データの記録を行わせることができる。その結果、被記録媒体に、入力データの単位数、および入力データのデータ量の双方を効率的に記録することができる。
【００１３】
また、前記第２の記録モードで動作する前記記録部は、前記指示部による記録開始指示に基づいて前記入力データの記録を開始すると、前記以前に記録した入力データとの境界位置を示す境界情報を前記被記録媒体に記録してもよい。かかる構成においては、例えば入力データの再生時に、境界情報の示す入力データの境界位置から再生を開始することが可能となる。
【００１４】
当該記録装置は、前記被記録媒体に記録されている入力データを再生する再生部をさらに備え、前記再生部は、前記境界情報により示される境界位置の入力データを再生する際、該入力データに含まれる音声データの再生音量を下げてもよい。かかる構成によれば、入力データの再生時に、境界情報の示す入力データの境界位置において生じ得る雑音を低減することができる。
【００１５】
また、上記課題を解決するために、本発明の別の観点によれば、映像データおよび／または音声データを含む入力データを生成するステップと、前記入力データの被記録媒体への記録開始を指示するステップと、前記被記録媒体に記録されている入力データの単位数に応じ、第１の記録モードおよび第２の記録モードを含む記録モードのいずれかに記録モードを設定するステップと、前記第１の記録モードに設定された場合、前記入力データを以前に記録した入力データと別単位として前記被記録媒体に記録し、前記第２の記録モードに設定された場合、以前に記録した入力データと同一単位として前記被記録媒体に記録するステップと、を含む記録方法が提供される。
【００１６】
また、上記課題を解決するために、本発明の別の観点によれば、コンピュータを、映像データおよび／または音声データを含む入力データを生成する入力部と、前記入力データの記録開始を指示する指示部と、前記指示部により前記入力データの記録開始が指示されると、前記入力データを、第１の記録モードにおいては以前に記録した入力データと別単位として被記録媒体に記録し、第２の記録モードにおいては以前に記録した入力データと同一単位として前記被記録媒体に記録する記録部と、前記被記録媒体に記録されている入力データの単位数に応じ、前記記録部に、前記第１の記録モードおよび前記第２の記録モードを含む記録モードのいずれで前記入力データの記録を行わせる制御部と、を備える記録装置として機能させるための、プログラムが提供される。
【００１７】
かかるプログラムは、例えばＣＰＵ、ＲＯＭまたはＲＡＭなどを含むコンピュータのハードウェア資源に、上記のような指示部、および制御部などの機能を実行させることができる。すなわち、当該プログラムを用いるコンピュータを、上述の記録装置として機能させることが可能である。
【発明の効果】
【００１８】
以上説明したように本発明にかかる記録装置、記録方法、およびプログラムによれば、被記録媒体の記憶容量を有効活用することができる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
また、以下の順序に従って当該「発明を実施するための最良の形態」を説明する。
〔１〕本実施形態にかかる撮像装置の概要
〔２〕本実施形態の目的
〔３〕撮像装置の詳細な説明
〔３−１〕撮像装置のハードウェア構成
〔３−２〕撮像装置の機能
〔３−３〕撮像装置の動作
〔４〕まとめ
【００２１】
〔１〕本実施形態にかかる撮像装置の概要
まず、図１〜図３を参照し、本実施形態にかかる撮像装置２０について概略的に説明する。
【００２２】
図１は、本実施形態にかかる撮像装置２０の外観図である。図１に示したように、撮像装置２０は、レンズ部２２と、ビューファインダ２４と、モニタ２６と、モード切替スイッチ３２と、記録ボタン３４と、を備える。
【００２３】
レンズ部２２は、被写体から発せられる光を集光し、撮像装置２０内の適切な位置に被写体の像を形成させる。ビューファインダ２４には被写体の映像が映し出され、ユーザはかかるビューファインダ２４に映し出される映像を確認しながらレンズ部２２を向ける方向を調整することができる。
【００２４】
モニタ２６は映像を表示する表示部としての機能を有する。例えば、モニタ２６は、現在レンズ部２２により集光されている被写体の映像や、過去に記録済みの映像を表示することが可能である。
【００２５】
モード切替スイッチ３２は、「〔３〕撮像装置の詳細な説明」において詳細については説明する記録モードを手動で切替えるためのスイッチである。図１に示した例では、モード切替スイッチ３２が「Ｎ」のノーマルモードに合わせられている。かかるモード切替スイッチ３２が「Ｃ」に合わせられると、撮像装置２０がコンティ二アスモードで動作する。
【００２６】
記録ボタン３４は、撮像装置２０による映像や音声などのデータの記録の開始を指示するユーザ操作を検出する。また、ユーザは、データの記録中に記録ボタン３４が押圧することにより、データの記録の一時停止を指示することもできる。
【００２７】
また、データの記録の一時停止中に、データ記録の開始指示以外の処理が要求された場合、次のデータ記録のための待機状態が解除される、すなわち、一時停止状態が解除される。
【００２８】
なお、図１においては、記録装置の一例として撮像装置２０を示したに過ぎず、記録装置は撮像装置２０に限定されない。例えば、記録装置は、ＰＣ（Ｐｅｒｓｏｎａｌ  Ｃｏｍｐｕｔｅｒ）、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔｓ）、家庭用ゲーム機器、携帯用ゲーム機器、家電機器などの情報処理装置であってもよい。
【００２９】
続いて、図２を参照して本実施形態にかかる撮像装置２０に内蔵される被記録媒体（図５における被記録媒体２４６）のファイルシステムの構成を説明する。
【００３０】
図２は、本実施形態にかかるファイルシステムの構成例を示した説明図である。図２に示したように、ＡＶＲＯＯＴ３００の下位には、複数のディレクトリまたはファイルが配されている。具体的には、ＡＶＲＯＯＴ３００の下位には、ＣＬＰＲ（以下、クリップルートディレクトリ）３０２、ＩＮＤＥＸ．ＸＭＬ（以下、インデックスファイル）３１０、およびＤＩＳＣＩＮＦＯ．ＸＭＬ（以下、ディスクインフォメーションファイル）３１２が配されている。
【００３１】
クリップルートディレクトリ３０２の下位には、被記録媒体２４６に記録されている映像音声データの一単位であるクリップごとに異なる複数のディレクトリが配されている。具体的には、クリップルートディレクトリ３０２の下位には、第１クリップディレクトリ（Ｃ０００１）３０４、第２クリップディレクトリ（Ｃ０００２）３０６、および第３クリップディレクトリ（Ｃ０００３）３０８などが配されている。各クリップディレクトリの詳細な構成については図３を参照して説明する。
【００３２】
インデックスファイル３１０は、被記録媒体２４６に記録されているすべてのクリップおよびエディットリストを管理するための管理情報を含む。また、ディスクインフォメーションファイル３１２は、被記録媒体２４６の属性、再生開始位置（以前の再生位置からの続き再生）、またはＲｅｃｌｎｈｉなどの情報を含む。
【００３３】
図３は、第１クリップディレクトリ３０４の詳細な構成を示した説明図である。図３に示したように、第１クリップディレクトリ３０４の下位には複数のファイルが配される。具体的には、第１クリップディレクトリ３０４の下位には、クリップインフォメーションファイル（Ｃ０００１Ｃ０１．ＳＭＩ）３２１、画像データファイル（Ｃ０００１Ｖ０１．ＭＸＦ）３２２、音声データファイル（Ｃ０００１Ａ０１．ＭＸＦ）３２３〜（Ｃ０００１Ａ０８．ＭＸＦ）３３０、ローレゾデータファイル（Ｃ０００１Ｓ０１．ＭＸＦ）３３１、クリップメタデータファイル（Ｃ０００１Ｍ０１．ＸＭＬ）３３２、フレームメタデータファイル（Ｃ０００１Ｒ０１．ＢＩＭ）３３３、およびピクチャポインタファイル（Ｃ０００１Ｉ０１．ＰＰＦ）３３４が配されている。
【００３４】
画像データファイル３２２は第１クリップの画像データを含み、音声データファイル３２３〜３３０は第１クリップの音声データを含む。また、クリップメタデータファイル３３２は、例えばＬＴＣ（Ｌｉｎｅｒ  Ｔｉｍｅ  Ｃｏｄｅ）とフレーム番号を対応させる変換テーブルを含む。
【００３５】
第２クリップディレクトリ３０６、および第３クリップディレクトリ３０８などの他のクリップディレクトリの下位にも同様に、図３に示した各種ファイルが配されている。
【００３６】
〔２〕本実施形態の目的
以上、図１〜図３を参照して本実施形態にかかる撮像装置２０の概要を説明した。続いて、本実施形態の目的を説明する。
【００３７】
撮像装置２０を実用的な記録再生装置として機能させるために、被記録媒体の装着時、撮像装置２０は以下のファイルを読出し、ＲＡＭ（図４におけるＲＡＭ２０３）に展開する。
（１）インデックスファイル３１０
（２）ディスクインフォメーションファイル３１２
（３）クリップメタデータファイル群（例えば、クリップメタデータファイル３３２）
【００３８】
上記３種のファイルのうち、ディスクインフォメーションファイル３１２のデータ量は被記録媒体に記録されているクリップの数に依存しないことが知られている。しかし、インデックスファイル３１０およびクリップメタデータファイル群のデータ量は、被記録媒体に記録されているクリップの数に依存する。
【００３９】
なぜならば、インデックスファイル３１０は、１の被記録媒体に通常１ファイルのみしか含まれないが、インデックスファイル３１０に含まれるクリップテーブルのデータ量がクリップ数が多くなるほど増大する。また、クリップメタデータファイルは、１クリップごとに１ファイル存在するので、被記録媒体上のクリップ数が多くなるほど、クリップメタデータファイルの数そのものが増加するためである。
【００４０】
上記３種のファイルの読み出しおよびＲＡＭへの展開に要する時間は、被記録媒体上のクリップ数が少ない（例えば、数十個程度）の場合は、実用上問題にならない（例えば、数秒。）。しかし、被記録媒体上のクリップ数が多くなってくる（例えば、数百〜千個）と、上記３種のファイルの読み出しおよびＲＡＭへの展開に要する時間は実運用に支障を生じる程度（例えば、数十秒）になってしまう。
【００４１】
すなわち、ユーザが被記録媒体に記録されているクリップを再生しようと、被記録媒体を例えば本実施形態に関連する撮像装置に装着しても、実際に再生が開始されるまで、上記の時間にわたってユーザーに待ちを強いることになる。
【００４２】
また、記録の待ち時間を短縮することは、業務用機器の場合、例えばニュース取材の用途に用いられるため、より重要になる。すなわち、突発的に起きた事象をすばやく記録するために、被記録媒体を装着してから、記録を開始できるまでの待ち時間は、出来る限り短いことが要求される。
【００４３】
かかる要求への対処方法として、バッファメモリを設け（例えば、特開２００５−４８５０に記載）、上記待ち時間の間に入力される画像データや音声データ信号を蓄えておく方法が考えられる。しかし、コスト、機器の大きさ、消費電力等の制約により、無制限の容量を設けることは困難である。
【００４４】
このような制約があるため、被記録媒体上に記録できるクリップ数の上限値（例えば、３００個）を設け、その上限数に達すると当該被記録媒体にはそれ以上のクリップが記録できないようにされていた。
【００４５】
その結果、きわめて短い（例えば、２〜３秒程度）の記録を繰り返すような用途での運用の場合、ディスクの総記録可能時間は十分にある（例えば２時間）あるのに、それに達するはるか前（例えば、１０分（２秒ｘ３００個）程度の記録がなされた時点）に、当該ディスクへのクリップ記録ができなくなってしまうという問題が生じていた。
【００４６】
そこで、上記のような事情に鑑みて本実施形態にかかる撮像装置２０を創作するに至った。本実施形態にかかる撮像装置２０によれば、被記録媒体の記憶容量を有効活用することができる。以下、当該撮像装置２０について詳細に説明する。
【００４７】
〔３〕撮像装置の詳細な説明
〔３−１〕撮像装置のハードウェア構成
図４は、本実施形態にかかる撮像装置２０のハードウェア構成を示した説明図である。撮像装置２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、ドライブ２１２と、通信装置２１５と、撮像素子２１６と、収音素子２１７と、を備える。
【００４８】
ＣＰＵ２０１は、演算処理装置および制御装置として機能し、各種プログラムに従って撮像装置２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００４９】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００５０】
入力装置２０８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ２０１に出力する入力制御回路などから構成されている。撮像装置２０のユーザは、該入力装置２０８（例えば、図１に示したモード切替スイッチ３２と、記録ボタン３４）を操作することにより、撮像装置２０に対して各種のデータを入力したり処理動作を指示したりすることができる。
【００５１】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。出力装置２１０は、例えば、再生された映像データや音声データを出力する。具体的には、表示装置は再生された映像データ等の各種情報をテキストまたはイメージで表示する。一方、音声出力装置は、再生された音声データ等を音声に変換して出力する。
【００５２】
ストレージ装置２１１は、本実施形態にかかる撮像装置２０の被記録媒体の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、上述の各種ファイルが記録される。
【００５３】
ドライブ２１２は、記憶媒体用リーダライタであり、撮像装置２０に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３に出力する。
【００５４】
通信装置２１５は、例えば、通信網１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。
【００５５】
撮像素子２１６は、レンズ部２２により集光された被写体の映像を、電気信号である映像データに変換する。例えば、撮像素子２１６は、ＣＭＯＳ撮像素子であっても、ＬＢＣＡＳＴ撮像素子であっても、ＣＣＤ（Ｃｈａｒｇｅ  Ｃｏｕｐｌｅｄ  Ｄｅｖｉｃｅ）であってもよい。
【００５６】
収音素子２１７は、周囲で発せられた音を電気信号である音声データに変換する。収音素子２１７は、マイクロフォンであってもよい。
【００５７】
〔３−２〕撮像装置の機能
以上、図４を参照して本実施形態にかかる撮像装置２０のハードウェア構成を説明した。続いて、当該撮像装置２０の機能を図５〜図８を参照して説明する。
【００５８】
図５は、本実施形態にかかる撮像装置２０の構成を示した機能ブロック図である。図５に示したように、撮像装置２０は、データ入力部２２０と、操作部２３０と、記録部２４０と、被記録媒体２４６と、モード設定部２５０と、再生部２６０と、を備える。
【００５９】
データ入力部２２０は、撮像素子２１６および収音素子２１７を備え、映像データ、または音声データの少なくともいずれかを入力データとして生成する。なお、撮像装置２０は記録装置の一例として示したに過ぎず、記録装置は、撮像素子２１６および収音素子２１７などを備えなくてもよく、単に外部から映像データ、または音声データが入力されてもよい。
【００６０】
操作部２３０は、図１に示したモード切替スイッチ３２、記録ボタン３４などのユーザインターフェースに対応する。例えば、操作部２３０は記録開始操作を検出すると記録部２４０に映像データや音声データの記録を指示する。また、操作部２３０は記録一時停止操作を検出すると記録部２３０に映像データや音声データの記録の一時停止を指示する。
【００６１】
記録部２４０は、データ記録部２４２と、テーブル記録部２４４を備える。
【００６２】
データ記録部２４２は、モード設定部２５０により設定された記録モードで映像データおよび音声データを被記録媒体２４６に記録する。具体的には、データ記録部２４２は、映像データを図３に示した画像データファイル３２２として、音声データを音声データファイル３２３〜３３０として被記録媒体２４６に記録する。
【００６３】
記録モードとしては、新たな映像データおよび音声データの記録を開始する際、以前に記録したクリップと別単位のクリップとして新たな映像データおよび音声データを被記録媒体２４６に記録するノーマルモードがあげられる。例えば、ノーマルモードで動作するデータ記録部２４２は、第６クリップまで被記録媒体２４６に記録されている場合、新たな映像データおよび音声データを第７クリップとして被記録媒体２４６に記録する。
【００６４】
また、記録モードとしては、新たな映像データおよび音声データを、以前に記録したクリップと同じ単位のクリップとして、以前に記録したクリップに続けて被記録媒体２４６に記録するコンティニアスモードがあげられる。例えば、コンティニアスモードで動作するデータ記録部２４２は、第６クリップまで被記録媒体２４６に記録されている場合、新たな映像データおよび音声データを第６クリップとして被記録媒体２４６に記録する。以下、図６および図７を参照してノーマルモードおよびコンティニアスモードについて具体的に説明する。
【００６５】
図６は、ノーマルモードでクリップが記録された様子を示す模式図である。ノーマルモードにおいては、図６に示したように、映像データおよび音声データを含むクリップの記録開始が指示されると（ＲＥＣ  ＳＴＡＲＴ）、被記録媒体２４６にクリップ１のヘッダ（Ｈ）４１１が記録され、クリップ１（４１２）が記録される。そして、記録の一時停止が指示されると、クリップ１のフッダ（Ｆ）４１３が被記録媒体２４６に記録される。
【００６６】
その後、クリップの記録開始が指示されると、被記録媒体２４６にクリップ２のヘッダ（Ｈ）４２１が記録され、クリップ１（４２２）が記録される。そして、記録の一時停止が指示されると、クリップ２のフッダ（Ｆ）４２３が被記録媒体２４６に記録される。
【００６７】
このように、ノーマルモードでデータ記録部２４２が動作する場合、記録の停止、および開始の度に映像データおよび音声データが新たなクリップとして記録される。クリップ３（ヘッダ４３１、クリップ３（４３２）、フッダ４３３）についても同様である。
【００６８】
図７は、コンティニアスモードでクリップが記録された様子を示す模式図である。コンティニアスモードにおいては、図７に示したように、映像データおよび音声データを含むクリップの記録開始が指示されると、被記録媒体２４６にクリップ１のヘッダ（Ｈ）３５０が記録され、一時停止が指示されるまで映像データおよび音声データ３５１が記録される。また、映像データおよび音声データ３５１の記録開始位置を示すＥＭ１（エッセンシャルマーク）が被記録媒体２４６に記録される。かかるＥＭ１は、クリップの再生時の再生位置の目印として利用される場合がある。
【００６９】
その後、クリップの記録開始が指示されると、一時停止が指示されるまで映像データおよび音声データ３５２が被記録媒体２４６に記録される。また、映像データおよび音声データ３５２の記録開始位置、すなわち以前に記録したデータと新たなデータの境界位置を示すＥＭ２（エッセンシャルマーク）が被記録媒体２４６に記録される。
【００７０】
さらに、クリップの記録開始が指示されると、一時停止が指示されるまで映像データおよび音声データ３５３が被記録媒体２４６に記録される。また、映像データおよび音声データ３５３の記録開始位置を示すＥＭ３が被記録媒体２４６に記録される。映像データおよび音声データ３５３、ＥＭ４、ＥＭ５についても同様である。そして、記録の停止が指示されると、フッダ３６０が被記録媒体２４６に記録され、ヘッダ３５０〜フッダ３６０までが１のクリップ単位となる。
【００７１】
このようなノーマルモードやコンティニアスモードなどの記録モードは、ユーザ操作により設定されてもよいが、後述するように、モード設定部２５０が動的に設定することができる。
【００７２】
テーブル記録部２４４は、図２に示したインデックスファイル３１０や、ディスクインフォメーション３１２の被記録媒体２４６への記録、および更新を行なう。また、テーブル記録部２４４は、図７に示したＥＭを含むクリップメタデータファイル３３２を被記録媒体２４６に記録してもよい。
【００７３】
被記録媒体２４６は、図２および図３に示した各種ファイルが記録され、記録された各種ファイルを保持する。被記録媒体２４６は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００７４】
モード設定部２５０は、被記録媒体２４６に記録されているクリップの数に応じて記録部２４０（データ記録部２４２）の記録モードを切替える制御部としての機能を有する。
【００７５】
例えば、モード設定部２５０は、被記録媒体２４６に記録されているクリップの数が増加するにつれ、データ記録部２４２にコンティニアスモードで記録を行わせる頻度を高めてもよい。かかる構成により、被記録媒体２４６におけるクリップの数の増加速度を抑制することができる。
【００７６】
また、モード設定部２５０は、被記録媒体２４６に記録されているクリップの単位数が所定数（例えば、２００クリップ、２５０クリップなど）を上回ると、データ記録部２４２にコンティニアスモードでクリップの記録を行わせてもよい。このように、データ記録部２４２にコンティニアスモードでクリップの記録を行わせると、被記録媒体２４６におけるクリップの単位数を維持することができる。したがって、被記録媒体２４６の容量に余裕があるにも拘らずクリップの単位数が上限値に達してしまい、新たなクリップが記録できなくなる場合を抑制することができる。すなわち、被記録媒体２４６の記憶容量を有効活用することができる。
【００７７】
さらに、モード設定部２５０は、被記録媒体２４６に記録できるクリップの時間残量を、被記録媒体２４６に記録されている複数単位のクリップの平均時間で除して予想記録単位数を算出し、被記録媒体２４６に記録できるクリップの残り単位数を予想記録単位数が上回る場合、データ記録部２４２にコンティニアスモードでクリップの記録を行わせてもよい。かかる構成においては、モード設定部２５０は、クリップの単位数が増加しても、クリップの単位数がクリップの記録時間との均衡がとれていれば、データ記録部２４２にノーマルモードでクリップの記録を行わせることができる。その結果、被記録媒体２４６に、クリップの単位数、およびクリップのデータ量の双方を効率的に記録することができる。
【００７８】
また、モード設定部２５０は、被記録媒体２４６に記録されている複数単位のクリップの平均時間が、被記録媒体２４６に記録できるクリップの総時間を被記録媒体２４６に記録できるクリップの上限単位数で除した時間を下回る場合にデータ記録部２４２にコンティニアスモードでクリップの記録を行わせてもよい。
【００７９】
再生部２６０は、操作部２３０により再生指示が検出されると、被記録媒体２４６に記録されているクリップの再生を開始する。ここで、再生部２６０は、図８に示すように、クリップに含まれる音声データを再生する際、ＥＭの示す位置付近では再生音量を下げてもよい。
【００８０】
図８は、再生部２６０による音声データの再生音量の補正量について示した説明図である。図８に示したように、再生部２６０は、ＥＭ１の示す位置付近に再生位置が達すると徐々に音量補正量を下げ、再生位置がＥＭ１の示す位置を過ぎると徐々に音量補正量を上げる。かかる構成によれば、クリップの再生時に、ＥＭの示す位置において生じ得る雑音を低減することができる。
【００８１】
〔３−３〕撮像装置の動作
以上、本実施形態にかかる撮像装置２０の構成を説明した。続いて、図９を参照して当該撮像装置２０の動作を説明する。
【００８２】
図９は、本実施形態にかかる撮像装置２０において実行される記録方法の流れを示したフローチャートである。図９に示したように、撮像装置２０の撮像素子２１６が映像（音声を含む、以下同じ。）の撮像を開始すると（Ｓ５０４）、モード設定部２５０が現在被記録媒体２４６に記録されているクリップ数に基づいて記録モードを設定する（Ｓ５０８）。
【００８３】
モード設定部２５０により記録モードがコンティニアスモードに設定された場合（Ｓ５１２）、データ記録の指示が入力されると（Ｓ５１６）、データ記録部２４２が新たなデータを前回記録時と同一のクリップに記録する（Ｓ５２０）。
【００８４】
一方、モード設定部２５０により記録モードがノーマルモードに設定された場合（Ｓ５１２）、データ記録の指示が入力されると（Ｓ５２４）、データ記録部２４２が新たなデータを前回記録時と別クリップに記録する（Ｓ５２８）。
【００８５】
Ｓ５２０、またはＳ５２８の後、データ記録の一時停止指示が入力されると（Ｓ５３２）、データ記録部２４２は被記録媒体２４６へのデータ記録を一時停止する（Ｓ５３６）。そして、Ｓ５０４からの処理が繰り返される。
【００８６】
〔４〕まとめ
以上説明したように、本実施形態にかかる撮像装置２０は、被記録媒体２４６に記録されているクリップ数に応じて記録モードをノーマルモードとコンティニアスモードとで切替える。例えば、当該撮像装置２０は、被記録媒体２４６に記録されているクリップ数が増加すると記録モードをコンティニアスモードに切替える。したがって、当該撮像装置２０によれば、被記録媒体２４６の記憶容量が余っているにも拘らず、クリップ数が上限値に達したために新たなクリップを被記録媒体２４６に記録できなくなくなってしまう場合を抑制できる。すなわち、本実施形態によれば、被記録媒体２４６の記憶容量を有効活用することができる。
【００８７】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８８】
本明細書の撮像装置２０の処理における各ステップは、必ずしもフローチャートとして記載された順序に沿って時系列に処理する必要はない。例えば、撮像装置２０の処理における各ステップは、並列的あるいは個別に実行される処理（例えば、並列処理あるいはオブジェクトによる処理）を含んでもよい。
【００８９】
また、撮像装置２０に内蔵されるＣＰＵ２０１、ＲＯＭ２０２およびＲＡＭ２０３などのハードウェアを、上述した撮像装置２０の各構成と同等の機能を発揮させるためのコンピュータプログラムも作成可能である。また、該コンピュータプログラムを記憶させた記憶媒体も提供される。また、図５の機能ブロック図で示したそれぞれの機能ブロックをハードウェアで構成することで、一連の処理をハードウェアで実現することもできる。
【図面の簡単な説明】
【００９０】
【図１】本実施形態にかかる撮像装置の外観図である。
【図２】本実施形態にかかるファイルシステムの構成例を示した説明図である。
【図３】第１クリップディレクトリの詳細な構成を示した説明図である。
【図４】本実施形態にかかる撮像装置のハードウェア構成を示した説明図である。
【図５】本実施形態にかかる撮像装置の構成を示した機能ブロック図である。
【図６】ノーマルモードでクリップが記録された様子を示す模式図である。
【図７】コンティニアスモードでクリップが記録された様子を示す模式図である。
【図８】再生部による音声データの再生音量の補正量について示した説明図である。
【図９】本実施形態にかかる撮像装置において実行される記録方法の流れを示したフローチャートである。
【符号の説明】
【００９１】
２０      撮像装置
２２０    データ入力部
２３０    操作部
２４０    記録部
２４６    被記録媒体
２５０    モード設定部
２６０    再生部
【図１】
2009099190.tif 000003
【図２】
2009099190.tif 000004
【図３】
2009099190.tif 000005
【図４】
2009099190.tif 000006
【図５】
2009099190.tif 000007
【図６】
2009099190.tif 000008
【図７】
2009099190.tif 000009
【図８】
2009099190.tif 000010
【図９】
2009099190.tif 000011